(57)【要約】【課題】利用者が予約した車両を共同で運転する人や利用者から運転することの依頼を受けた人を特定することができるようにしたカーシェアリングシステムを提供する。【解決手段】複数の利用者により車両を共用するカーシェアリングシステムにおいて、システム運用者のシステムサーバーと、通信回線を介してシステムサーバーと通信可能に接続されるとともに車両に搭載された車載器と、車載器に接続されるとともに車両に搭載されたカードリーダーとを有し、カードリーダーに複数枚のＩＣカードが順次読み込まれると、カードリーダーが読み込んだ情報が車載器を介してシステムサーバーへ送られ、システムサーバーにおいてカードリーダーに読み込まれた複数枚のＩＣカードの情報を処理する。【選択図】        図１
2019040379.tif 000002
【特許請求の範囲】
【請求項１】
複数の利用者により車両を共用するカーシェアリングシステムにおいて、
システム運用者のシステムサーバーと、
通信回線を介して前記システムサーバーと通信可能に接続されるとともに車両に搭載された車載器と、
前記車載器に接続されるとともに前記車両に搭載されたカードリーダーとを有し、
前記カードリーダーに複数枚のＩＣカードが順次読み込まれると、
前記カードリーダーが読み込んだ情報が前記車載器を介して前記システムサーバーへ送られ、前記システムサーバーにおいて前記カードリーダーに読み込まれた前記複数枚のＩＣカードの情報を処理する
ことを特徴とするカーシェアリングシステム。
【請求項２】
請求項１に記載のカーシェアリングシステムにおいて、
前記複数枚のＩＣカードには、前記車両の利用を予約した利用者のＩＣカードと前記利用者以外のＩＣカードとが混在する
ことを特徴とするカーシェアリングシステム。
【請求項３】
請求項１に記載のカーシェアリングシステムにおいて、
前記複数枚のＩＣカードは、前記車両の利用を予約した利用者のＩＣカードと、前記利用者から前記車両の運転を依頼された運転者のＩＣ運転免許証とである
ことを特徴とするカーシェアリングシステム。
【発明の詳細な説明】
【技術分野】
【０００１】
本発明は、カーシェアリングシステムに関する。
【背景技術】
【０００２】
複数の利用者が車両を共用する利用形態の一例として、例えば、特開２００４−１７８３８５号公報に開示されているように、車両たる自動車を複数の会員が共同で利用する、所謂、カーシェアリングシステムが知られている。
【０００３】
こうしたカーシェアリングシステムでは、システムを運用する事業者（システム運用者）が車載器を搭載した車両たる自動車を準備し、当該事業者が当該車両を会員登録済みの複数の利用者に提供するものである。
【０００４】
ここで、車載器とは、カーシェリングシステムにより車両を管理するために当該車両に搭載した管理装置であり、携帯電話網やインターネットなどの通信回線を介してシステム運用者のシステムサーバーと通信可能に接続されている。
【０００５】
また、車両には、車載器に接続されたカードリーダーが搭載されており、車両を利用する利用者は会員登録済みのＩＣカードを当該カードリーダーに読み込ませる。
【０００６】
カードリーダーに読み込まれたＩＣカードの情報は、車載器を介してシステムサーバーへ送られ、システムサーバーにおいて当該情報の処理が行われた後に、車両のドアが解錠されてイグニッションキーの取り出しが可能となり、利用者への車両の受け渡しが行われる。
【０００７】
従来のカーシェアリングシステムにおける処理は、上記の通りであるが、従来のカーシェアリングシステムにおいては、車両の予約をした利用者（予約者）とカードリーダーが認識するカードとが１対１の関係でのみ認識するようになされていたため、当該車両を利用者（予約者）とともに共同で運転する人や利用者（予約者）から運転することの依頼を受けた人を特定することができないという問題点があった。
【先行技術文献】
【特許文献】
【０００８】
【特許文献１】特開２００４−１７８３８５号公報
【発明の概要】
【発明が解決しようとする課題】
【０００９】
本発明は、上記したような従来の技術の問題点に鑑みてなされたものであり、その目的とするところは、利用者が予約した車両を共同で運転する人や利用者から運転することの依頼を受けた人を特定することができるようにしたカーシェアリングシステムを提供しようとするものである。
【課題を解決するための手段】
【００１０】
上記目的を達成するために、本発明は、複数のＩＣカード（ＩＣカードには、ＩＣチップを内蔵した運転免許証（ＩＣ運転免許証）も含まれる。）をカードリーダーに読み込ませて、システムサーバーにおいて複数のＩＣカードの情報の処理を行うようにしたものである。
【００１１】
従って、本発明によれば、車両を利用者（予約者）とともに共同で運転する人や利用者（予約者）から運転することの依頼を受けた人のＩＣカードを読み込むことができるようになり、車両を利用者（予約者）とともに共同で運転する人や利用者（予約者）から運転することの依頼を受けた人を特定することができるようになる。
【００１２】
即ち、本発明は、複数の利用者により車両を共用するカーシェアリングシステムにおいて、システム運用者のシステムサーバーと、通信回線を介して上記システムサーバーと通信可能に接続されるとともに車両に搭載された車載器と、上記車載器に接続されるとともに上記車両に搭載されたカードリーダーとを有し、上記カードリーダーに複数枚のＩＣカードが順次読み込まれると、上記カードリーダーが読み込んだ情報が上記車載器を介して上記システムサーバーへ送られ、上記システムサーバーにおいて上記カードリーダーに読み込まれた上記複数枚のＩＣカードの情報を処理するようにしたものである。
【００１３】
また、本発明は、上記した本発明において、上記複数枚のＩＣカードには、上記車両の利用を予約した利用者のＩＣカードと上記利用者以外のＩＣカードとが混在するようにしたものである。
【００１４】
また、本発明は、上記した本発明において、上記複数枚のＩＣカードは、上記車両の利用を予約した利用者のＩＣカードと、上記利用者から上記車両の運転を依頼された運転者のＩＣ運転免許証とであるようにしたものである。
【発明の効果】
【００１５】
本発明は、以上説明したように構成されているので、利用者が予約した車両を共同で運転する人や利用者から運転することの依頼を受けた人を特定することができるようになるという優れた効果を奏する。
【図面の簡単な説明】
【００１６】
【図１】図１は、本発明の実施の形態の一例によるカーシェアリングシステムを示す説明図である。
【発明を実施するための形態】
【００１７】
以下、添付の図面を参照しながら、本発明によるカーシェアリングシステムの実施の形態の一例を詳細に説明するものとする。
【００１８】
図１には、本発明によるカーシェアリングシステムの実施の形態の一例を示す説明図があらわされている。
【００１９】
この図１に示すカーシェアリングシステム１０は、システム運用者のシステムサーバー１２と、携帯電話網やインターネットなどの通信回線を介してシステムサーバー１２と通信可能に接続されるとともに車両１４に搭載された車載器１６と、車載器１６に接続されるとともに車両１４に搭載されたカードリーダー１８とを有して構成されている。
【００２０】
車載器１６は、車両１４のドアの解錠ならびに施錠を含む、車両１４に関する各種の処理を制御する。
【００２１】
カードリーダー１８は、ＩＣカード２０を読み込む。このＩＣカード２０には、システム運用者が会員登録時に会員に配布したＩＣカード（配布ＩＣカード）ならびにＩＣチップを内蔵した運転免許証（ＩＣ運転免許証）などが含まれる。
【００２２】
なお、本実施の形態においては、ＩＣカード２０として、車両１４の利用を予約した会員の配布ＩＣカード２０ａと、当該車両１４の利用を予約した会員から当該車両１４の運転を依頼された者（運転者）のＩＣ運転免許証２０ｂとを読み込む場合についてする。
【００２３】
カードリーダー１８に読み込まれたＩＣカード２０の情報は、車載器１６を介してシステムサーバー１２へ送られる。
【００２４】
システムサーバー１２は、車載器１６を介して送られたＩＣカード２０の情報を処理した後に、各種の情報を車載器１６へ出力する。なお、こうした各種の情報には、車両１４のドアの解錠ならびに施錠を含む処理を行うための情報が含まれる。
【００２５】
ここで、システムサーバー１２と、車載器１６と、カードリーダー１８とは、車両１４を利用するための一つの予約に対して、複数枚のＩＣカード２０を処理することが可能とされている。
【００２６】
以上の構成において、カーシェアリングシステム１０においては、会員が車両１４の利用を予約した時間が到来すると、システムサーバー１２は、車載器１６を介してカードリーダー１８を起動する。
【００２７】
なお、カードリーダー１８は、カードリーダー１８に設けられたタッチセンサー（図示せず。）に触れることにより起動することもできるように構成されているので、会員は当該タッチセンサーに触れることによりカードリーダー１８を起動してもよい。
【００２８】
カードリーダー１８が起動されると、カードリーダー１８はＩＣカード２０の情報を読み込み可能となり、カードリーダー１８が読み込んだ情報は車載器１６を介してシステムサーバー１２へ送られる。
【００２９】
ここで、本実施の形態においては、カードリーダー１８にＩＣカード２０を読み込ませる際に、車両１４の利用を予約した会員の配布ＩＣカード２０ａと、当該車両１４の利用を予約した会員から当該車両１４の運転を依頼された者（運転者）のＩＣ運転免許証２０ｂとを順次読み込ませる。
【００３０】
なお、カードリーダー１８に読み込ませるＩＣカード２０は、上記に例示したように２枚でもよいし、あるいは、３枚以上でもよい。
【００３１】
また、カードリーダー１８に読み込ませるＩＣカード２０としては、配布ＩＣカードとＩＣ運転免許証とのいずれか一種類のみでもよいし、配布ＩＣカードとＩＣ運転免許証とが混在していてもよい。
【００３２】
従って、カーシェアリングシステム１０においては、例えば、カードリーダー１８に車両１４の利用を予約した会員の配布ＩＣカード２０ａとともに当該会員から当該車両１４の運転を依頼された運転者のＩＣ運転免許証２０ｂを読み込ませて、車両１４の利用を予約した会員の配布ＩＣカード２０ａの情報および当該運転者のＩＣ運転免許証２０ｂの情報をシステムサーバー１２において処理することができる。
【００３３】
以上において説明したように、本発明によるカーシェアリングシステム１０によれば、カードリーダー１８に複数のＩＣカード２０を読み込ませて、これら複数のＩＣカード２０の情報をシステムサーバー１２においてそれぞれ処理することができる。
【００３４】
従って、本発明によるカーシェアリングシステム１０によれば、利用者が予約した車両１４を共同で運転する人や利用者から運転することの依頼を受けた人を特定することができるようになる。
【産業上の利用可能性】
【００３５】
本発明は、複数の利用者により車両を共用するカーシェアリングシステムに利用することができる。
【符号の説明】
【００３６】
１０    カーシェアリングシステム
１２    システムサーバー
１４    車両
１６    車載器
１８    カードリーダー
２０    ＩＣカード
２０ａ  配布ＩＣカード
２０ｂ  ＩＣ運転免許証
【図１】
2019040379.tif 000003